(57)【特許請求の範囲】
【請求項１】
ノズルと、該ノズルに連通する圧力室が形成された圧力室ユニットと、
前記圧力室ユニットの上に取り付けられて、前記圧力室の壁面の一部を構成するとともに、前記圧力室に連通される第１の穴を有する振動板と、
前記圧力室の位置に対応して、前記振動板の上に形成される圧電素子と、
前記圧電素子に形成される個別電極と、
前記振動板の上に形成される膜であって、前記圧電素子の振動を確保するための空間と、前記個別電極に接続するための第１の電気接続穴と、前記第１の穴に連通される第２の穴とが形成される膜と、
複数の隔壁で構成され、前記膜の上に接合される共通液室と、
前記共通液室を構成する前記隔壁のうち前記膜の上に接合される前記隔壁に貫通して形成され、前記第１の電気接続穴と連通される第２の電気接続穴と、
前記共通液室を構成する前記隔壁のうち前記膜の上に接合される前記隔壁の外壁面に形成され、前記第２の電気接続穴に連通される第１の溝と、
前記共通液室を構成する前記隔壁のうち前記膜の上に接合される前記隔壁に隣接する前記隔壁の外壁面に形成され、前記第１の溝に連通される第２の溝と、
前記第１の溝と前記第２の溝の内部に連続して形成される配線と、
前記第１の電気接続穴と前記第２の電気接続穴とに導電性材料を充填して形成され、前記配線の一端と前記個別電極とを接続する貫通電極と、
前記配線の他端に接続され、前記圧電素子を駆動する駆動回路と、
前記共通液室内に露出する前記貫通電極の表面を絶縁する絶縁膜と、
を備えたことを特徴とする液体吐出ヘッド。
【請求項２】
前記駆動回路は、前記第２の溝が形成された前記隔壁の外壁面であって、前記共通液室内において液体が存在している位置に設けられることを特徴とする請求項１に記載の液体吐出ヘッド。
【請求項３】
ノズルと、該ノズルに連通する圧力室が形成された圧力室ユニットと、
前記圧力室ユニットの上に取り付けられて、前記圧力室の壁面の一部を構成するとともに、前記圧力室に連通される第１の穴を有する振動板と、
前記圧力室の位置に対応して、前記振動板の上に形成される圧電素子と、
前記圧電素子に形成される個別電極と、
前記振動板の上に形成される膜であって、前記圧電素子の振動を確保するための空間と、前記個別電極に接続するための第１の電気接続穴と、前記第１の穴に連通される第２の穴とが形成される膜と、
複数の隔壁で構成され、前記膜の上に接合される共通液室と、
前記共通液室を構成する前記隔壁のうち前記膜の上に接合される前記隔壁に貫通して形成され、前記第１の電気接続穴と連通される第２の電気接続穴と、
前記共通液室を構成する前記隔壁のうち前記膜の上に接合される前記隔壁の内壁面に形成され、前記第２の電気接続穴に連通される第１の溝と、
前記共通液室を構成する前記隔壁のうち前記膜の上に接合される前記隔壁に隣接する前記隔壁の内壁面に形成され、前記第１の溝に連通される第２の溝と、
前記第１の溝と前記第２の溝の内部に連続して形成される配線と、
前記第１の電気接続穴と前記第２の電気接続穴とに導電性材料を充填して形成され、前記配線の一端と前記個別電極とを接続する貫通電極と、
前記配線の他端に接続されるとともに、前記共通液室内に設けられ、前記圧電素子を駆動する駆動回路と、
前記共通液室内に露出する前記配線と、前記貫通電極と、前記駆動回路との表面を絶縁する絶縁膜と、
を備えたことを特徴とする液体吐出ヘッド。
【請求項４】
ノズルと、該ノズルに連通する圧力室が形成された圧力室ユニットと、
前記圧力室ユニットの上に取り付けられて、前記圧力室の壁面の一部を構成するとともに、前記圧力室に連通される第１の穴を有する振動板と、
前記圧力室の位置に対応して、前記振動板の上に形成される圧電素子と、
前記圧電素子に形成される個別電極と、
前記振動板の上に形成される膜であって、前記圧電素子の振動を確保するための空間と、前記個別電極に接続するための第１の電気接続穴と、前記第１の穴に連通される第２の穴とが形成される膜と、
複数の隔壁で構成され、前記膜の上に接合される共通液室と、
前記共通液室を構成する前記隔壁のうち前記膜の上に接合される前記隔壁に貫通して形成され、前記第１の電気接続穴と連通される第２の電気接続穴と、
前記共通液室を構成する前記隔壁のうち前記膜の上に接合される前記隔壁の内壁面に形成され、前記第２の電気接続穴に連通される第１の溝と、
前記共通液室を構成する前記隔壁のうち前記膜の上に接合される前記隔壁に隣接する前記隔壁の内壁面に形成され、前記第１の溝に連通される第２の溝と、
前記第１の溝と前記第２の溝の内部に連続して形成される配線と、
前記第１の電気接続穴と前記第２の電気接続穴とに導電性材料を充填して形成され、前記配線の一端と前記個別電極とを接続する貫通電極と、
前記配線の他端に接続されるとともに、前記共通液室内に設けられ、前記圧電素子を駆動する駆動回路と、
前記共通液室内に露出する前記配線と、前記貫通電極との表面を絶縁する絶縁膜と、
前記共通液室内に設けられ、前記駆動回路を前記共通液室内に貯留される液体から隔離する隔離壁と、
を備えたことを特徴とする液体吐出ヘッド。
【請求項５】
前記隔離壁は、前記第２の溝が形成される前記隔壁と平行に設けられることを特徴とする請求項４に記載の液体吐出ヘッド。
【請求項６】
前記隔離壁は、前記第１の溝が形成される前記隔壁と平行に設けられることを特徴とする請求項４に記載の液体吐出ヘッド。
【請求項７】
前記第１の電気接続穴の径が、前記第２の電気接続穴の径よりも広いことを特徴とする請求項１から６のいずれか１項に記載の液体吐出ヘッド。
【請求項８】
前記第２の電気接続穴の径が、前記第１の電気接続穴の径よりも広いことを特徴とする請求項１から６のいずれか１項に記載の液体吐出ヘッド。
【請求項９】
前記第２の電気接続穴が、前記共通液室に向かって拡がるようにテーパー状に形成されることを特徴とする請求項１から８のいずれか１項に記載の液体吐出ヘッド。
【請求項１０】
前記配線が、前記第２の電気接続穴の内部まで回り込んで形成されることを特徴とする請求項１から９のいずれか１項に記載の液体吐出ヘッド。
【請求項１１】
前記配線が、前記第１の溝及び前記第２の溝の凹面部分のみをメッキして形成されることを特徴とする請求項１から１０のいずれか１項に記載の液体吐出ヘッド。
【請求項１２】
請求項１から１１のいずれか１項に記載の液体吐出ヘッドの製造方法であって、
前記共通液室は、所定の金型を用いた樹脂成形により、前記各隔壁と、前記第２の電気接続穴と、前記第１の溝と、前記第２の溝とが一体的に形成されることを特徴とする液体吐出ヘッドの製造方法。
【請求項１３】
前記共通液室は、前記第１の溝及び前記第２の溝を形成する前記金型の凸部分に金属微粒子を付着して樹脂成形し、
前記配線は、前記第１の溝及び前記第２の溝に付着する前記金属微粒子を用いてメッキ処理により形成することを特徴とする請求項１２に記載の液体吐出ヘッドの製造方法。
【請求項１４】
請求項１から１１のいずれか１項に記載の液体吐出ヘッドの製造方法であって、
前記貫通電極は、前記第１の穴と前記第２の穴との位置合わせをして、前記配線が形成された前記共通液室を前記膜の上に接合した後、前記第１の電気接続穴と前記第２の電気接続穴とに導電性材料を充填して形成することを特徴とする液体吐出ヘッドの製造方法。
【請求項１５】
請求項１〜１１に記載されたいずれかの液体吐出ヘッドを備えたことを特徴とする画像形成装置。
【発明の詳細な説明】
【技術分野】
【０００１】
本発明は、液体吐出ヘッド及びその製造方法並びに画像形成装置に係るものであり、特に、液体の吐出を制御するための電子回路、電気配線の配置、構造及びその製造方法に関する。
【背景技術】
【０００２】
従来からある画像形成装置として、多数の液体吐出ノズルを配置させたインクジェットプリンタヘッド（液体吐出ヘッド）を有し、このインクジェットヘッドと記録媒体とを相対的に移動させながら、ノズルから記録媒体に向けてインク（液体）を吐出することにより記録媒体上に画像を記録するインクジェットプリンタ（インクジェット記録装置）が知られている。
【０００３】
このようなインクジェットプリンタのインクジェットヘッドは、たとえばインクタンクからインク供給路を介してインクが供給される圧力室と、画像データに応じた電気信号によって駆動される圧電素子と、圧電素子の駆動によって変形する圧力室の一部を構成する振動板と、振動板の変形によって圧力室の容積が減少することにより圧力室内のインクが液滴として吐出される圧力室に連通するノズルを含む圧力発生ユニットを有している。そして、インクジェットプリンタにおいては、圧力発生ユニットのノズルから吐出されたインクによって形成されるドットを組み合わせることによって記録媒体上に１つの画像が形成される。
【０００４】
このため、駆動される圧電素子に電気信号を伝達することによりインクの吐出が制御されるが、この電気信号を伝達するために電気配線がインクタンクの周辺に設けられており、部品点数や製造コストの観点から各種の方法が提案されている。
【０００５】
例えば、インク噴出口とインク供給穴溝とを持つヘッド本体に、インク溝を液密状態で覆うカバー部材を備えている構造のようなインクジェット記録ヘッドでは、部品点数を低減することができ、簡単な作業で製造が可能になるとともに、電気回路部分の接続を低減し製造コストを低減することができる（例えば、特許文献１等）。
【０００６】
また、圧電素子への電気信号を薄膜トランジスタ（ＴＦＴ）で供給する方法も提案されている。具体的には、薄膜トランジスタ（ＴＦＴ）を形成した駆動基板の端面に電極をまわり込んで形成し、駆動基板の端面の電極と圧電素子の電極とを接触させるように駆動基板を圧電素子に対し垂直に位置した構成に配置したものである（例えば、特許文献２等）。
【０００７】
更に、凹凸形状の機械連結部を持つモジュール基板に機械的連結部に接点を持たせ、平面または立体的に配置を可能とした基板実装したものであり、接点同士の連結は、半田付け、ロウ付け、機械的かしめで行う構造である（例えば、特許文献３等）。  
【特許文献１】特開平０９−３１４８３１号公報
【特許文献２】特開平０９−３１４８３３号公報
【特許文献３】特開平１１−２６１１８６号公報
【発明の開示】
【発明が解決しようとする課題】
【０００８】
しかしながら、上記特許文献１に記載された発明では、電気接点を持つため、接点部分における接続の信頼性が低く、また、高密度配線に対して位置決めが困難で実現が難しいといった問題点がある。更に、カバー部はフィルム素材を屈曲させて作られるので、構造上の強度が保たれず、構造部材として機能することはない。
【０００９】
また、上記特許文献２に記載された発明では、構成上２つの基板を接触させて接続することにより電気配線の導通をとる必要があり、高密度な配線における位置合わせが困難となり、接続部分における信頼性が低下するといった欠点が存在している。
【００１０】
また、上記特許文献３に記載された発明では、配置の自由度が大きいので、スペースを有効利用できるといった利点はあるものの連結が機械的に行われるため、その精度は機械的な加工精度に依存するため、高密度配線における適用が困難になるといった問題点を有している。
【００１１】
以上のようにインクジェットプリンタヘッド周辺部において、配線を立体的に行うことは以前より提案はされているものの、これらの多くは配線の途中部分において接続部分が存在するため、配線数が多くなるに従い、確実に電気的に導通のとれるような接続は困難となる。更に、高密度な配線になれば材料への加工精度の要求が高くなり、正確な位置合わせが難しく、電気的に導通のとれるような接続はより一層困難となるといった問題点がある。
【００１２】
また、従来技術においては、配線部分が複数部品を立体状に接合した構造や、フィルムの折り曲げにより形成されているため、構造体としての剛性や気密性を保つことが困難であるという欠点を有している。
【００１３】
本発明は、このような事情に鑑みてなされたものであり、液体吐出ヘッドについて、構造的な剛性や気密性を保ちつつ、高密度配線を立体的に形成する構成ならびに製造方法を提供することを目的とするとともに、前記液体吐出ヘッドを用いた画像形成装置を提供することを目的とする。
【課題を解決するための手段】
【００１４】
請求項１に記載の発明は、ノズルと、該ノズルに連通する圧力室が形成された圧力室ユニットと、前記圧力室ユニットの上に取り付けられて、前記圧力室の壁面の一部を構成するとともに、前記圧力室に連通される第１の穴を有する振動板と、前記圧力室の位置に対応して、前記振動板の上に形成される圧電素子と、前記圧電素子に形成される個別電極と、前記振動板の上に形成される膜であって、前記圧電素子の振動を確保するための空間と、前記個別電極に接続するための第１の電気接続穴と、前記第１の穴に連通される第２の穴とが形成される膜と、複数の隔壁で構成され、前記膜の上に接合される共通液室と、前記共通液室を構成する前記隔壁のうち前記膜の上に接合される前記隔壁に貫通して形成され、前記第１の電気接続穴と連通される第２の電気接続穴と、前記共通液室を構成する前記隔壁のうち前記膜の上に接合される前記隔壁の外壁面に形成され、前記第２の電気接続穴に連通される第１の溝と、前記共通液室を構成する前記隔壁のうち前記膜の上に接合される前記隔壁に隣接する前記隔壁の外壁面に形成され、前記第１の溝に連通される第２の溝と、前記第１の溝と前記第２の溝の内部に連続して形成される配線と、前記第１の電気接続穴と前記第２の電気接続穴とに導電性材料を充填して形成され、前記配線の一端と前記個別電極とを接続する貫通電極と、前記配線の他端に接続され、前記圧電素子を駆動する駆動回路と、前記共通液室内に露出する前記貫通電極の表面を絶縁する絶縁膜と、を備えたことを特徴とする液体吐出ヘッドである。
請求項２に記載の発明は、前記駆動回路は、前記第２の溝が形成された前記隔壁の外壁面であって、前記共通液室内において液体が存在している位置に設けられることを特徴とする請求項１に記載の液体吐出ヘッドである。
請求項３に記載の発明は、ノズルと、該ノズルに連通する圧力室が形成された圧力室ユニットと、前記圧力室ユニットの上に取り付けられて、前記圧力室の壁面の一部を構成するとともに、前記圧力室に連通される第１の穴を有する振動板と、前記圧力室の位置に対応して、前記振動板の上に形成される圧電素子と、前記圧電素子に形成される個別電極と、前記振動板の上に形成される膜であって、前記圧電素子の振動を確保するための空間と、前記個別電極に接続するための第１の電気接続穴と、前記第１の穴に連通される第２の穴とが形成される膜と、複数の隔壁で構成され、前記膜の上に接合される共通液室と、前記共通液室を構成する前記隔壁のうち前記膜の上に接合される前記隔壁に貫通して形成され、前記第１の電気接続穴と連通される第２の電気接続穴と、前記共通液室を構成する前記隔壁のうち前記膜の上に接合される前記隔壁の内壁面に形成され、前記第２の電気接続穴に連通される第１の溝と、前記共通液室を構成する前記隔壁のうち前記膜の上に接合される前記隔壁に隣接する前記隔壁の内壁面に形成され、前記第１の溝に連通される第２の溝と、前記第１の溝と前記第２の溝の内部に連続して形成される配線と、前記第１の電気接続穴と前記第２の電気接続穴とに導電性材料を充填して形成され、前記配線の一端と前記個別電極とを接続する貫通電極と、前記配線の他端に接続されるとともに、前記共通液室内に設けられ、前記圧電素子を駆動する駆動回路と、前記共通液室内に露出する前記配線と、前記貫通電極と、前記駆動回路との表面を絶縁する絶縁膜と、を備えたことを特徴とする液体吐出ヘッドである。
請求項４に記載の発明は、ノズルと、該ノズルに連通する圧力室が形成された圧力室ユニットと、前記圧力室ユニットの上に取り付けられて、前記圧力室の壁面の一部を構成するとともに、前記圧力室に連通される第１の穴を有する振動板と、前記圧力室の位置に対応して、前記振動板の上に形成される圧電素子と、前記圧電素子に形成される個別電極と、前記振動板の上に形成される膜であって、前記圧電素子の振動を確保するための空間と、前記個別電極に接続するための第１の電気接続穴と、前記第１の穴に連通される第２の穴とが形成される膜と、複数の隔壁で構成され、前記膜の上に接合される共通液室と、前記共通液室を構成する前記隔壁のうち前記膜の上に接合される前記隔壁に貫通して形成され、前記第１の電気接続穴と連通される第２の電気接続穴と、前記共通液室を構成する前記隔壁のうち前記膜の上に接合される前記隔壁の内壁面に形成され、前記第２の電気接続穴に連通される第１の溝と、前記共通液室を構成する前記隔壁のうち前記膜の上に接合される前記隔壁に隣接する前記隔壁の内壁面に形成され、前記第１の溝に連通される第２の溝と、前記第１の溝と前記第２の溝の内部に連続して形成される配線と、前記第１の電気接続穴と前記第２の電気接続穴とに導電性材料を充填して形成され、前記配線の一端と前記個別電極とを接続する貫通電極と、前記配線の他端に接続されるとともに、前記共通液室内に設けられ、前記圧電素子を駆動する駆動回路と、前記共通液室内に露出する前記配線と、前記貫通電極との表面を絶縁する絶縁膜と、前記共通液室内に設けられ、前記駆動回路を前記共通液室内に貯留される液体から隔離する隔離壁と、を備えたことを特徴とする液体吐出ヘッドである。
請求項５に記載の発明は、前記隔離壁は、前記第２の溝が形成される前記隔壁と平行に設けられることを特徴とする請求項４に記載の液体吐出ヘッドである。
請求項６に記載の発明は、前記隔離壁は、前記第１の溝が形成される前記隔壁と平行に設けられることを特徴とする請求項４に記載の液体吐出ヘッドである。
請求項７に記載の発明は、前記第１の電気接続穴の径が、前記第２の電気接続穴の径よりも広いことを特徴とする請求項１から６のいずれか１項に記載の液体吐出ヘッドである。
請求項８に記載の発明は、前記第２の電気接続穴の径が、前記第１の電気接続穴の径よりも広いことを特徴とする請求項１から６のいずれか１項に記載の液体吐出ヘッドである。
請求項９に記載の発明は、前記第２の電気接続穴が、前記共通液室に向かって拡がるようにテーパー状に形成されることを特徴とする請求項１から８のいずれか１項に記載の液体吐出ヘッドである。
請求項１０に記載の発明は、前記配線が、前記第２の電気接続穴の内部まで回り込んで形成されることを特徴とする請求項１から９のいずれか１項に記載の液体吐出ヘッドである。
請求項１１に記載の発明は、前記配線が、前記第１の溝及び前記第２の溝の凹面部分のみをメッキして形成されることを特徴とする請求項１から１０のいずれか１項に記載の液体吐出ヘッドである。
請求項１２に記載の発明は、請求項１から１１のいずれか１項に記載の液体吐出ヘッドの製造方法であって、前記共通液室は、所定の金型を用いた樹脂成形により、前記各隔壁と、前記第２の電気接続穴と、前記第１の溝と、前記第２の溝とが一体的に形成されることを特徴とする液体吐出ヘッドの製造方法である。
請求項１３に記載の発明は、前記共通液室は、前記第１の溝及び前記第２の溝を形成する前記金型の凸部分に金属微粒子を付着して樹脂成形し、前記配線は、前記第１の溝及び前記第２の溝に付着する前記金属微粒子を用いてメッキ処理により形成することを特徴とする請求項１２に記載の液体吐出ヘッドの製造方法である。
請求項１４に記載の発明は、請求項１から１１のいずれか１項に記載の液体吐出ヘッドの製造方法であって、前記貫通電極は、前記第１の穴と前記第２の穴との位置合わせをして、前記配線が形成された前記共通液室を前記膜の上に接合した後、前記第１の電気接続穴と前記第２の電気接続穴とに導電性材料を充填して形成することを特徴とする液体吐出ヘッドの製造方法である。
請求項１５に記載の発明は、請求項１〜１１に記載されたいずれかの液体吐出ヘッドを備えたことを特徴とする画像形成装置である。
【発明の効果】
【００２５】
以上のように、本発明によれば、液体吐出ヘッドの構成が構造的な剛性や気密性を保ちつつ、高密度配線を立体的に容易に製造することができる効果がある。
【００２６】
即ち、配線の途中部分において接続部分が存在しないため確実に電気的に導通のとることができ、また、高密度な配線であっても液体吐出ヘッドを作成する際の正確な位置合わせを行うことなく確実に電気的に導通のとれるような接続を行うことができる。
【００２７】
更に、配線部分が、複数部品を立体状に接合した構造や、フィルムの折り曲げにより形成されていいないため、構造体としての剛性や気密性を保つことが十分可能となる。
【００２８】
また、小型化された液体突出ヘッドを用いることにより、画像形成装置全体の小型化が可能となるという効果がある。
【発明を実施するための最良の形態】
【００２９】
以下、添付図面を参照して、本発明に係る液体吐出ヘッド及びその製造方法並びに画像形成装置について第１の実施の形態として詳細に説明する。
【００３０】
図１は、本発明に係るインクジェットヘッド（液体吐出ヘッド）を備えた画像形成装置としてのインクジェット記録装置の概略を示す全体構成図である。
【００３１】
図１に示すように、このインクジェット記録装置１０は、インクの色毎に設けられた複数の印字ヘッド（液体吐出ヘッド）１２Ｋ、１２Ｃ、１２Ｍ、１２Ｙを有する印字部１２と、各印字ヘッド１２Ｋ、１２Ｃ、１２Ｍ、１２Ｙに供給するインクを貯蔵しておくインク貯蔵／装填部１４と、記録紙１６を供給する給紙部１８と、記録紙１６のカールを除去するデカール処理部２０と、前記印字部１２のノズル面（インク吐出面）に対向して配置され、記録紙１６の平面性を保持しながら記録紙１６を搬送するベルト搬送部２２と、印字部１２による印字結果を読み取る印字検出部２４と、印画済みの記録紙（プリント物）を外部に排出する排紙部２６とを備えている。
【００３２】
図１では、給紙部１８の一例としてロール紙（連続用紙）のマガジンが示されているが、紙幅や紙質等が異なる複数のマガジンを併設してもよい。また、ロール紙のマガジンに代えて、又はこれと併用して、カット紙が積層装填されたカセットによって用紙を供給してもよい。
【００３３】
ロール紙を使用する装置構成の場合、図１のように、裁断用のカッター２８が設けられており、該カッター２８によってロール紙は所望のサイズにカットされる。カッター２８は、記録紙１６の搬送路幅以上の長さを有する固定刃２８Ａと、固定刃２８Ａに沿って移動する丸刃２８Ｂとから構成されており、印字裏面側に固定刃２８Ａが設けられ、搬送路を挟んで印字面側に丸刃２８Ｂが配置されている。なお、カット紙を使用する場合には、カッター２８は不要である。
【００３４】
複数種類の記録紙を利用可能な構成にした場合、紙の種類情報を記録したバーコードあるいは無線タグ等の情報記録体をマガジンに取り付け、その情報記録体の情報を所定の読取装置によって読み取ることで、使用される用紙の種類を自動的に判別し、用紙の種類に応じて適切なインク吐出を実現するようにインク吐出制御を行うことが好ましい。
【００３５】
給紙部１８から送り出される記録紙１６はマガジンに装填されていたことによる巻き癖が残り、カールする。このカールを除去するために、デカール処理部２０においてマガジンの巻き癖方向と逆方向に加熱ドラム３０で記録紙１６に熱を与える。このとき、多少印字面が外側に弱いカールとなるように加熱温度を制御するとより好ましい。
【００３６】
デカール処理後、カットされた記録紙１６は、ベルト搬送部２２へと送られる。ベルト搬送部２２は、ローラー３１、３２間に無端状のベルト３３が巻き掛けられた構造を有し、少なくとも印字部１２のノズル面及び印字検出部２４のセンサ面に対向する部分が平面（フラット面）をなすように構成されている。
【００３７】
ベルト搬送部２２は、特に限定されるものではなく、ベルト面に設けられた吸引孔より空気を吸引して負圧により記録紙１６をベルト３３に吸着させて搬送する真空吸着搬送でもよいし、静電吸着による方法でもよい。
【００３８】
ベルト３３は、記録紙１６の幅よりも広い幅寸法を有しており、上に述べた真空吸着搬送の場合には、ベルト面には図示を省略した多数の吸引孔が形成されている。図１に示したとおり、ローラー３１、３２間に掛け渡されたベルト３３の内側において印字部１２のノズル面及び印字検出部２４のセンサ面に対向する位置には吸着チャンバー３４が設けられており、この吸着チャンバー３４をファン３５で吸引して負圧にすることによってベルト３３上の記録紙１６が吸着保持される。
【００３９】
ベルト３３が巻かれているローラー３１、３２の少なくとも一方にモータ（図示省略）の動力が伝達されることにより、ベルト３３は図１において、時計回り方向に駆動され、ベルト３３上に保持された記録紙１６は、図１の左から右へと搬送される。
【００４０】
縁無しプリント等を印字するとベルト３３上にもインクが付着するので、ベルト３３の外側の所定位置（印字領域以外の適当な位置）にベルト清掃部３６が設けられている。ベルト清掃部３６の構成について詳細は図示しないが、例えば、ブラシ・ロール、吸水ロール等をニップする方式、清浄エアーを吹き掛けるエアーブロー方式、あるいはこれらの組み合わせなどがある。清掃用ロールをニップする方式の場合、ベルト線速度とローラー線速度を変えると清掃効果が大きい。
【００４１】
なお、ベルト搬送部２２に代えて、ローラー・ニップ搬送機構を用いる態様も考えられるが、印字領域をローラー・ニップ搬送すると、印字直後に用紙の印字面にローラーが接触するので、画像が滲み易いという問題がある。したがって、本例のように、印字領域では画像面と接触させない吸着ベルト搬送が好ましい。
【００４２】
ベルト搬送部２２により形成される用紙搬送路上において印字部１２の上流側には、加熱ファン４０が設けられている。加熱ファン４０は、印字前の記録紙１６に加熱空気を吹きつけ、記録紙１６を加熱する。印字直前に記録紙１６を加熱しておくことにより、インクが着弾後乾き易くなる。
【００４３】
図２は、インクジェット記録装置１０の印字部１２周辺を示す要部平面図である。
【００４４】
図２に示すように、印字部１２は、最大紙幅に対応する長さを有するライン型ヘッドを紙搬送方向（副走査方向）と直交する方向（主走査方向）に配置した、いわゆるフルライン型のヘッドとなっている。
【００４５】
各印字ヘッド１２Ｋ、１２Ｃ、１２Ｍ、１２Ｙは、本インクジェット記録装置１０が対象とする最大サイズの記録紙１６の少なくとも一辺を超える長さにわたってインク吐出口（ノズル）が複数配列されたライン型ヘッドで構成されている。
【００４６】
記録紙１６の搬送方向（紙搬送方向）に沿って上流側（図１の左側）から黒（Ｋ）、シアン（Ｃ）、マゼンタ（Ｍ）、イエロー（Ｙ）の順に各色インクに対応した印字ヘッド１２Ｋ、１２Ｃ、１２Ｍ、１２Ｙが配置されている。記録紙１６を搬送しつつ各印字ヘッド１２Ｋ、１２Ｃ、１２Ｍ、１２Ｙからそれぞれ色インクを吐出することにより記録紙１６上にカラー画像を形成し得る。
【００４７】
このように、紙幅の全域をカバーするフルラインヘッドがインク色毎に設けられた構成からなる印字部１２によれば、紙搬送方向（副走査方向）について記録紙１６と印字部１２を相対的に移動させる動作を一回行うだけで（すなわち、一回の副走査で）記録紙１６の全面に画像を記録することができる。これにより、印字ヘッドが紙搬送方向と直交する方向（主走査方向）に往復動作するシャトル型ヘッドに比べて高速印字が可能であり、生産性を向上させることができる。
【００４８】
なお、ここで主走査方向及び副走査方向とは、次に言うような意味で用いている。すなわち、記録紙の全幅に対応したノズル列を有するフルラインヘッドで、ノズルを駆動する時、（１）全ノズルを同時に駆動するか、（２）ノズルを片方から他方に向かって順次駆動するか、（３）ノズルをブロックに分割して、ブロックごとに片方から他方に向かって順次駆動するか、等のいずれかのノズルの駆動が行われ、用紙の幅方向（記録紙の搬送方向と直交する方向）に１ライン（１列のドットによるライン又は複数列のドットから成るライン）の印字をするようなノズルの駆動を主走査と定義する。そして、この主走査によって記録される１ライン（帯状領域の長手方向）の示す方向を主走査方向という。
【００４９】
一方、上述したフルラインヘッドと記録紙とを相対移動することによって、上述した主走査で形成された１ライン（１列のドットによるライン又は複数列のドットから成るライン）の印字を繰り返し行うことを副走査と定義する。そして、副走査を行う方向を副走査方向という。結局、記録紙の搬送方向が副走査方向であり、それに直交する方向が主走査方向ということになる。
【００５０】
また本例では、ＫＣＭＹの標準色（４色）の構成を例示したが、インク色や色数の組み合わせについては本実施形態には限定されず、必要に応じて淡インク、濃インクを追加してもよい。例えば、ライトシアン、ライトマゼンタ等のライト系インクを吐出する印字ヘッドを追加する構成も可能である。
【００５１】
図１に示したように、インク貯蔵／装填部１４は、各印字ヘッド１２Ｋ、１２Ｃ、１２Ｍ、１２Ｙに対応する色のインクを貯蔵するタンクを有し、各タンクは図示を省略した管路を介して各印字ヘッド１２Ｋ、１２Ｃ、１２Ｍ、１２Ｙと連通されている。また、インク貯蔵／装填部１４は、インク残量が少なくなるとその旨を報知する報知手段（表示手段、警告音発生手段等）を備えるとともに、色間の誤装填を防止するための機構を有している。
【００５２】
印字検出部２４は、印字部１２の打滴結果を撮像するためのイメージセンサ（ラインセンサ等）を含み、該イメージセンサによって読み取った打滴画像からノズルの目詰まりその他の吐出不良をチェックする手段として機能する。
【００５３】
本例の印字検出部２４は、少なくとも各印字ヘッド１２Ｋ、１２Ｃ、１２Ｍ、１２Ｙによるインク吐出幅（画像記録幅）よりも幅の広い受光素子列を有するラインセンサで構成される。このラインセンサは、赤（Ｒ）の色フィルタが設けられた光電変換素子（画素）がライン状に配列されたＲセンサ列と、緑（Ｇ）の色フィルタが設けられたＧセンサ列と、青（Ｂ）の色フィルタが設けられたＢセンサ列とからなる色分解ラインＣＣＤセンサで構成されている。なお、ラインセンサに代えて、受光素子が２次元配列されて成るエリアセンサを用いることも可能である。
【００５４】
印字検出部２４は、各色の印字ヘッド１２Ｋ、１２Ｃ、１２Ｍ、１２Ｙにより印字されたテストパターンを読み取り、各ヘッドの吐出検出を行う。吐出判定は、吐出の有無、ドットサイズの測定、ドット着弾位置の測定等で構成される。
【００５５】
印字検出部２４の後段には、後乾燥部４２が設けられている。後乾燥部４２は、印字された画像面を乾燥させる手段であり、例えば、加熱ファンが用いられる。印字後のインクが乾燥するまでは印字面と接触することは避けたほうが好ましいので、熱風を吹きつける方式が好ましい。
【００５６】
多孔質のペーパに染料系インクで印字した場合などでは、加圧によりペーパの孔を塞ぐことでオゾンなど、染料分子を壊す原因となるものと接触することを防ぐことで画像の耐候性がアップする効果がある。
【００５７】
後乾燥部４２の後段には、加熱・加圧部４４が設けられている。加熱・加圧部４４は、画像表面の光沢度を制御するための手段であり、画像面を加熱しながら所定の表面凹凸形状を有する加圧ローラー４５で加圧し、画像面に凹凸形状を転写する。
【００５８】
このようにして生成されたプリント物は、排紙部２６から排出される。本来プリントすべき本画像（目的の画像を印刷したもの）とテスト印字とは分けて排出することが好ましい。このインクジェット記録装置１０では、本画像のプリント物と、テスト印字のプリント物とを選別してそれぞれの排出部２６Ａ、２６Ｂへと送るために排紙経路を切り換える選別手段（図示省略）が設けられている。なお、大きめの用紙に本画像とテスト印字とを同時に並列に形成する場合は、カッター（第２のカッター）４８によってテスト印字の部分を切り離す。カッター４８は、排紙部２６の直前に設けられており、画像余白部にテスト印字を行った場合に、本画像とテスト印字部を切断するためのものである。カッター４８の構造は前述した第１のカッター２８と同様であり、固定刃４８Ａと丸刃４８Ｂとから構成されている。
【００５９】
また、図示を省略したが、本画像の排出部２６Ａには、オーダー別に画像を集積するソーターが設けられている。
【００６０】
インク毎に設けられている各印字ヘッド１２Ｋ、１２Ｃ、１２Ｍ、１２Ｙの構造は共通しているので、以下符号５０で代表して印字ヘッド５０として説明することとする。
【００６１】
図３は、本発明に係る印字ヘッド（液体吐出ヘッド）５０の全体の概略図である。印字ヘッド５０を制御するためのＩＣからなる駆動回路５９が印字ヘッド５０の側壁面に配置されており、電気配線６１はこの壁面に設けられている。
【００６２】
図４は、図３に示す印字ヘッド５０の４Ａ−４Ｂ線に沿って垂直に切断した断面図である。
【００６３】
圧力室ユニット５４は、インクを吐出するノズル５１と圧力室５２によって形成され、供給口５３を介してインクを供給する共通液室５５と連通する。圧力室５２の一面（図では天面）は振動板５６により構成されており、その上部には、振動板５６に圧力を付与して振動板５６を変形させる圧電素子５８が接合されている。圧電素子５８の上面には個別電極５７が形成される。また、振動板５６は共通電極を兼ねている。
【００６４】
圧電素子５８は、共通電極（振動板５６）と個別電極５７によって挟まれており、共通電極（振動板５６）と個別電極５７に駆動電圧を印加することによって変形する。圧電素子５８の変形によって振動板５６が押され、圧力室５２の容積が縮小されてノズル５１からインクが吐出されるようになっている。共通電極（振動板５６）と個別電極５７間の電圧印加が解除されると圧電素子５８がもとに戻り、圧力室５２の容積が元の大きさに回復し、共通液室５５から供給口５３を通って新しいインクが圧力室５２に供給されるようになっている。
【００６５】
ＩＣからなる駆動回路５９は、冷却効果を高めるため液体吐出ヘッドの共通液室５５内においてインクが存在している位置の隔壁を介した裏面に固定されている。この駆動回路５９には電気配線６０、６１（電気配線６１は図面上簡略化して記載してあるが複数本存在している）が接続されており、入力信号、出力信号は、これら電気配線を介し伝達される。ＩＣからなる駆動回路５９へは、電気信号が電気配線６０を介し入力され、ＩＣからなる駆動回路５９から出力された電気信号は、電気配線６１、貫通電極６２を介し、個別電極５７に伝達される。
【００６６】
インク吐出の際には、圧電素子５８に駆動電圧を印加する必要があるが、この駆動電圧を印加するための信号は、装置本体から電気配線６０を介し、ＩＣからなる駆動回路５９に入力された後、電気配線６１、貫通電極６２を介し、所望の駆動制御電圧が圧電素子５８に印加される。
【００６７】
次に、印字ヘッド（液体吐出ヘッド）のノズル（液体吐出口）の配置について説明する。インク色毎に設けられている各印字ヘッド１２Ｋ、１２Ｃ、１２Ｍ、１２Ｙの構造は共通しているので、以下、これらを代表して符号５０によって印字ヘッドを表すものとし、図１６に印字ヘッド５０の平面透視図を示す。
【００６８】
図１６に示すように、本実施形態の印字ヘッド５０は、インクを液滴として吐出するノズル５１、インクを吐出する際インクに圧力を付与する圧力室５２、図１６では図示を省略した共通液室から圧力室５２にインクを供給するインク供給口５３を含んで構成される圧力室ユニット５４が千鳥状の２次元マトリクス状に配列され、ノズル５１の高密度化が図られている。
【００６９】
図１６に示す例においては、各圧力室５２を上方から見た場合に、その平面形状は略正方形状をしているが、圧力室５２の平面形状はこのような正方形に限定されるものではない。圧力室５２には、図１６に示すように、その対角線の一方の端にノズル５１が形成され、他方の端の側にインク供給口５３が設けられている。
【００７０】
また、図示は省略するが、複数の短尺ヘッドを２次元の千鳥状に配列して繋ぎ合わせて、これらの複数の短尺ヘッド全体で印字媒体の全幅に対応する長さとなるようにして１つの長尺のフルラインヘッドを構成するようにしてもよい。
【００７１】
図５は、インクジェット記録装置１０におけるインク供給系の構成を示した概要図である。インクタンク９０は印字ヘッド５０にインクを供給するための基タンクであり、図１で説明したインク貯蔵／装填部１４に設置される。インクタンク９０の形態には、インク残量が少なくなった場合に、補充口（図示省略）からインクを補充する方式と、タンクごと交換するカートリッジ方式とがある。使用用途に応じてインク種類を替える場合には、カートリッジ方式が適している。この場合、インクの種類情報をバーコード等で識別して、インク種類に応じて吐出制御を行うことが好ましい。なお、図５のインクタンク９０は、先に記載した図１のインク貯蔵／装填部１４と等価のものである。
【００７２】
図５に示したように、インクタンク９０と印字ヘッド５０を繋ぐ管路の中間には、異物や気泡を除去するためにフィルタ９２が設けられている。フィルタ・メッシュサイズは印字ヘッド５０のノズル径と同等若しくはノズル径以下（一般的には、２０μｍ程度）とすることが好ましい。
【００７３】
なお、図５には示さないが、印字ヘッド５０の近傍又は印字ヘッド５０と一体にサブタンクを設ける構成も好ましい。サブタンクは、ヘッドの内圧変動を防止するダンパー効果及びリフィルを改善する機能を有する。
【００７４】
また、インクジェット記録装置１０には、ノズルの乾燥防止又はノズル近傍のインク粘度上昇を防止するための手段としてのキャップ９４と、ノズル面５０Ａの清掃手段としてのクリーニングブレード９６とが設けられている。
【００７５】
これらキャップ９４及びクリーニングブレード９６を含むメンテナンスユニットは、図示を省略した移動機構によって印字ヘッド５０に対して相対移動可能であり、必要に応じて所定の退避位置から印字ヘッド５０下方のメンテナンス位置に移動されるようになっている。
【００７６】
キャップ９４は、図示しない昇降機構によって印字ヘッド５０に対して相対的に昇降変位される。昇降機構は、電源ＯＦＦ時や印刷待機時にキャップ９４を所定の上昇位置まで上昇させ、印字ヘッド５０に密着させることにより、ノズル面５０Ａのノズル領域をキャップ９４で覆うようになっている。
【００７７】
クリーニングブレード９６は、ゴムなどの弾性部材で構成されており、図示を省略したブレード移動機構により印字ヘッド５０のインク吐出面（ノズル面５０Ａ）に摺動可能である。ノズル面５０Ａにインク液滴又は異物が付着した場合、クリーニングブレード９６をノズル面５０Ａに摺動させることでノズル面５０Ａを拭き取り、ノズル面５０Ａを清浄化するようになっている。
【００７８】
印字中又は待機中において、特定のノズル５１の使用頻度が低くなり、そのノズル５１近傍のインク粘度が上昇した場合、粘度が上昇して劣化したインクを排出すべく、キャップ９４に向かって予備吐出が行われる。
【００７９】
また、印字ヘッド５０内のインク（圧力室５２内のインク）に気泡が混入した場合、印字ヘッド５０にキャップ９４を当て、吸引ポンプ９７で圧力室５２内のインク（気泡が混入したインク）を吸引により除去し、吸引除去したインクを回収タンク９８へ送液する。この吸引動作は、初期のインクのヘッドへの装填時、或いは長時間の停止後の使用開始時にも行われ、粘度が上昇して固化した劣化インクが吸い出され除去される。
【００８０】
すなわち、印字ヘッド５０は、ある時間以上吐出しない状態が続くと、ノズル近傍のインク溶媒が蒸発してノズル近傍のインクの粘度が高くなってしまい、吐出駆動用のアクチュエータ（圧電素子５８）が動作してもノズル５１からインクが吐出しなくなる。したがって、この様な状態になる手前で（圧電素子５８の動作によってインク吐出が可能な粘度の範囲内で）、インク受けに向かって圧電素子５８を動作させ、粘度が上昇したノズル近傍のインクを吐出させる「予備吐出」が行われる。また、ノズル面５０Ａの清掃手段として設けられているクリーニングブレード９６等のワイパーによってノズル面５０Ａの汚れを清掃した後に、このワイパー摺擦動作によってノズル５１内に異物が混入するのを防止するためにも予備吐出が行われる。なお、予備吐出は、「空吐出」、「パージ」、「唾吐き」などと呼ばれる場合もある。
【００８１】
また、ノズル５１や圧力室５２内に気泡が混入したり、ノズル５１内のインクの粘度上昇があるレベルを超えたりすると、上記予備吐出ではインクを吐出できなくなるため、以下に述べる吸引動作を行う。
【００８２】
すなわち、ノズル５１や圧力室５２のインク内に気泡が混入した場合、或いはノズル５１内のインク粘度があるレベル以上に上昇した場合には、圧電素子５８を動作させてもノズル５１からインクを吐出できなくなる。このような場合、印字ヘッド５０のノズル面５０Ａに、キャップ９４を当てて圧力室５２内の気泡が混入したインク又は増粘インクをポンプ９７で吸引する動作が行われる。
【００８３】
ただし、上記の吸引動作は、圧力室５２内のインク全体に対して行われるためインク消費量が大きい。したがって、粘度上昇が少ない場合はなるべく予備吐出を行うことが好ましい。なお、図５で説明したキャップ９４は、吸引手段として機能するとともに、予備吐出のインク受けとしても機能し得る。
【００８４】
また、好ましくは、キャップ９４の内側が仕切壁によってノズル列に対応した複数のエリアに分割されており、これら仕切られた各エリアをセレクタ等によって選択的に吸引できる構成とする。
【００８５】
図６は、インクジェット記録装置１０のシステム構成を示す要部ブロック図である。インクジェット記録装置１０は、通信インターフェース７０、システムコントローラ７２、画像メモリ７４、モータドライバ７６、ヒータドライバ７８、プリント制御部８０、画像バッファメモリ８２、ヘッドドライバ８４等を備えている。
【００８６】
通信インターフェース７０は、ホストコンピュータ８６から送られてくる画像データを受信するインターフェース部である。通信インターフェース７０にはＵＳＢ、ＩＥＥＥ１３９４、イーサネット、無線ネットワークなどのシリアルインターフェースやセントロニクスなどのパラレルインターフェースを適用することができる。この部分には、通信を高速化するためのバッファメモリ（図示省略）を搭載してもよい。ホストコンピュータ８６から送出された画像データは通信インターフェース７０を介してインクジェット記録装置１０に取り込まれ、一旦画像メモリ７４に記憶される。画像メモリ７４は、通信インターフェース７０を介して入力された画像を一旦格納する記憶手段であり、システムコントローラ７２を通じてデータの読み書きが行われる。画像メモリ７４は、半導体素子からなるメモリに限らず、ハードディスクなどの磁気媒体を用いてもよい。
【００８７】
システムコントローラ７２は、通信インターフェース７０、画像メモリ７４、モータドライバ７６、ヒータドライバ７８等の各部を制御する制御部である。システムコントローラ７２は、中央演算処理装置（ＣＰＵ）及びその周辺回路等から構成され、ホストコンピュータ８６との間の通信制御、画像メモリ７４の読み書き制御等を行うとともに、搬送系のモータ８８やヒータ８９を制御する制御信号を生成する。
【００８８】
モータドライバ７６は、システムコントローラ７２からの指示に従ってモータ８８を駆動するドライバ（駆動回路）である。ヒータドライバ７８は、システムコントローラ７２からの指示にしたがって後乾燥部４２等のヒータ８９を駆動するドライバである。
【００８９】
プリント制御部８０は、システムコントローラ７２の制御に従い、画像メモリ７４内の画像データから印字制御用の信号を生成するための各種加工、補正などの処理を行う信号処理機能を有し、生成した印字制御信号（印字データ）をヘッドドライバ８４に供給する制御部である。プリント制御部８０において所要の信号処理が施され、該画像データに基づいてヘッドドライバ８４を介して印字ヘッド５０のインク液滴の吐出量や吐出タイミングの制御が行われる。これにより、所望のドットサイズやドット配置が実現される。
【００９０】
プリント制御部８０には画像バッファメモリ８２が備えられており、プリント制御部８０における画像データ処理時に画像データやパラメータなどのデータが画像バッファメモリ８２に一時的に格納される。なお、図６において画像バッファメモリ８２はプリント制御部８０に付随する態様で示されているが、画像メモリ７４と兼用することも可能である。また、プリント制御部８０とシステムコントローラ７２とを統合して１つのプロセッサで構成する態様も可能である。
【００９１】
ヘッドドライバ８４はプリント制御部８０から与えられる印字データに基づいて各色の印字ヘッド５０のアクチュエーター５８を駆動する。ヘッドドライバ８４にはヘッドの駆動条件を一定に保つためのフィードバック制御系を含んでいてもよい。
【００９２】
印字検出部２４は、図１で説明したように、ラインセンサー（図示省略）を含むブロックであり、記録紙１６に印字された画像を読み取り、所要の信号処理などを行って印字状況（吐出の有無、打滴のばらつきなど）を検出し、その検出結果をプリント制御部８０に提供するものである。
【００９３】
プリント制御部８０は、必要に応じて印字検出部２４から得られる情報に基づいて印字ヘッド５０に対する各種補正を行うようになっている。
【００９４】
次に印字ヘッド５０の製造方法について説明する。
【００９５】
図７は印字ヘッド５０の共通液室５５の隔壁の製造方法の概念を示す説明図である。
【００９６】
共通液室５５の隔壁１１０は、エポキシ樹脂等により形成されているが、この共通液室５５の隔壁１１０を形成する際、金型が用いられる。図７（ａ）は、共通液室５５の隔壁１１０を形成する金型を分解した図であり、図７（ｂ）はこれら金型を組み合わせ共通液室５５の隔壁１１０を形成する際の様子を示す断面図である。隔壁１１０を形成するための金型は、６面の金型１０１ａ、１０１ｂ、１０１ｃ、１０１ｄ、１０１ｅ、１０１ｆにより構成されており、これら金型１０１ａ、１０１ｂ、１０１ｃ、１０１ｄ、１０１ｅ、１０１ｆについて所定の位置合わせをした後組み合わせる。その後エポキシ樹脂を金型１０１ａ、１０１ｂ、１０１ｃ、１０１ｄ、１０１ｅ、１０１ｆにより組み合わされた金型内部の空間に流し込む。金型１０１ｂ、１０１ｃ、１０１ｄには、配線部分の溝を形成するための凸部分１０３が各々設けられており、また、金型１０１ｄには、貫通する電気接続穴を形成するための凸部分１０６及びインク供給用の穴を形成するための凸部分１１８を有している（図７においては、凸部分１０３、１０６、１１８は実際複数存在しているが、図面上省略して記載してある）。エポキシ樹脂が固まった後、１０１ａ、１０１ｂ、１０１ｃ、１０１ｄ、１０１ｅ、１０１ｆを図７（ｂ）に示す矢印の方向に取り去ることにより、図７（ｃ）に示すように電気配線のための溝１０４、電気接続穴１０７及びインク供給用の穴１０９を有した共通液室５５の隔壁１１０が形成される。
【００９７】
ここで用いられるエポキシ樹脂に、シリカやアルミナを混入させることにより剛性を高くすることができる。これにより、機械強度の優れたものとすることができ、インクをプールするために十分な強度と液体シール性を確保することができる。また、樹脂のみで形成した場合と比べ線膨張係数を金属並みに抑えることができるので、ヘッド基本構成（図４に示す圧力室ユニット５４基本構成）を金属にする場合には、接合時の膨張差を低減することができるといったメリットがある。また、用いられる樹脂は熱硬化樹脂であることから、ＩＣを実装する際のはんだリフローの熱に耐えることができる。
【００９８】
次に図８に基づき電気配線の形成方法の原理について説明する。
【００９９】
前記記載のエポキシ樹脂による隔壁１１０の形成を行うための金型を組立てる前に、図８（ａ）に示すように、金型１０１ｂに設けられた溝形成のための凸部分１０３を微細な銅の粒子を集めたもの１０２の上に凸部分１０３を接触させ、凸部分１０３の最表面にのみ銅の粒子を付着させる。
【０１００】
これと同様の工程を金型１０１ｃ、１０１ｄについても行った後、前記記載のとおり位置合わせをして金型を組立て、エポキシ樹脂を流し込み隔壁１１０を形成する。この際、隔壁１１０の溝１０４には銅の微細な粒子が付着し、金型１０１ｂ、１０１ｃ、１０１ｄを取り去った後であっても、隔壁１１０の溝１０４には銅の微細な粒子が付着したままである。隔壁１１０の任意の壁面におけるこのときの状態の斜視図及び平面図を図８（ｂ）に示す。
【０１０１】
この後、無電解メッキを行うことにより、銅の微細な粒子が付着した電気配線のための溝１０４の凹面部分のみメッキによる金属が析出し電極１０５が形成される。このときの隔壁１１０の一面の状態を概念的に斜視図として図８（ｃ）に示す。
【０１０２】
図７、図８に示した方法により、外壁に電極が形成された共通液室５５の隔壁１１０が形成されるが、この後、共通液室の下側に圧力室等を接合して液体吐出ヘッドを製造する方法について図９に基づき説明する。
【０１０３】
図９（ａ）に示すように、ダミー基板６６の上においてインク供給口５３の一部を形成する穴の開いた共通電極を兼ねた振動板５６上に圧電素子５８を形成する。なお、ダミー基板６６は強度補強のため製造工程上用いるものである。また、図面には示していないが、圧電素子５８の形成された部分以外は、共通電極を兼ねた振動板５６の表面は薄い絶縁膜で覆われている。この次に、図９（ｂ）に示すように、圧電素子５８の上部に個別電極５７を形成する。
【０１０４】
この後、図９（ｃ）に示すように上部に感光性樹脂膜１２０ａをスピンコート等により塗布する。その後、更に、図９（ｄ）に示すように露光装置による露光、現像を行い感光性樹脂の一部を除去することにより、圧電素子の振動を確保するための空間１０７ｃ、電気接続穴１０７ｂ及びインク供給用の穴５３ｂを形成し、圧電素子５８の圧電素子カバー１２０ｂが形成される。この際用いられる感光性樹脂としては、化薬マイクロケム社のＳＵ−８を用いているが、この材料に限定されない。
【０１０５】
このように形成されたものと前記記載の工程で作製した電気配線１０５が配された共通液室５５の隔壁１１０とを図９（ｅ）に示すように接合する。この際、インクがインク供給口５３と通過することができるよう位置合わせを行い接合する。この後、図９（ｆ）に示すように、電気接続穴１０７に導電性ペーストや半田ボール等からなる導電性材料を流し込み、必要に応じてリフロー等することにより貫通電極１０８を形成し、個別電極５７と電極１０５とを接続する。この際、貫通電極１０８の形成される電気接続穴の部分１０７ｂよりも、隔壁１１０に形成された電気接続穴１０７の方を小さくすることにより、個別電極５７と電極１０５との電気的な導通を確実にとることができる。この後、ダミー基板６６を取り外して、図４に示す圧力室ユニット５４を構成する部材を取り付けることにより図９（ｆ）に示すものができ、この後、図９（ｇ）に示すように貫通電極１０８の表面に絶縁膜１２９を形成することにより液体吐出ヘッドが出来上がる。
【０１０６】
図１０には印字ヘッドの別の構成の一例を示す。圧電素子５８上に電気接続穴を設け、その中に導電性材料を流し込み貫通電極１０８を形成することにより、段差等により生じる断線の心配のない構成とすることができる。
【０１０７】
又、図１１（ａ）に示すように、隔壁１１０に設けられた電気接続穴１０７の径が圧電素子カバー１２０ｂに設けられた電気接続穴１０７ｂの径よりも狭くなっている場合、隔壁１１０に設けられた電気接続穴１０７の内部まで電極１０５が回りこんで形成されていれば、導電性ペースト等の導電性材料と電極１０５との接触面積を広くとることができるため、電極１０５と個別電極５７の電気的接続を確実なものとすることができ、信頼性を更に向上することができる。
【０１０８】
又、隔壁１１０に設けられた電気接続穴１０７の内部まで電極１０５が回りこんで形成されている場合には、図１１（ｂ）に示すように、隔壁１１０に設けられた電気接続穴１０７の径と圧電素子カバー１２０ｂに設けられた電気接続穴１０７ｂの径とが略同じである場合、図１１（ｃ）に示すように、隔壁１１０に設けられた電気接続穴１０７の径が圧電素子カバー１２０ｂに設けられた電気接続穴１０７ｂの径よりも広い場合であっても、電極１０５と個別電極５７の電気的接続を確実なものとすることができ、信頼性は十分確保できる。
【０１０９】
また、図１１（ｄ）に示すように隔壁１１０の電気接続穴１０７がテーパー状になっている場合は、導電性材料を電気接続穴１０７、１０７ｂに流し込みやすくなるため信頼性もより一層向上する。
（実施例）
以下本実施の形態に係る液体吐出ヘッドの実施例を図３に基づき説明する。
【０１１０】
液体吐出ヘッドは、圧電素子密度が２４００ＤＰＩであり、最も配線密度が高くなる電気配線６１では、Ｌ／Ｓ（ライン／スペース）が５／５μｍである。電子回路への入力は、Ｌ／Ｓ（ライン／スペース）が１５／１５μｍ〜５０／５０μｍであるが、圧電素子密度の関係上、電気配線６１では、Ｌ／Ｓ（ライン／スペース）が５／５μｍに変換されている。この際この引き出された電気電極６１は、ＩＣからなる駆動回路５９に接続されるが、接続される電極の関係上、電気回路は一列に並べるのではなく上下にずれて配置されている。
【０１１１】
次に、本発明の液体吐出ヘッドの第２の実施の形態について説明する。
【０１１２】
第２の実施の形態は、電気配線を共通液室５５の隔壁の壁面の内側に形成するものである。
【０１１３】
図１２に、隔壁１３４の内壁に電気配線を形成するために必要となる金型を示す。金型は、外側の金型１３１と内側の金型１３０からなり、内側の金型には電極形成のための溝を形成するための凸部１３２が設けられており、第１の実施の形態における工程と同様の工程により凸部の表面には、微小の銅等の金属粒子が付着させてある。
【０１１４】
この内側の金型１３０と外側の金型１３１との間にエポキシ樹脂を流し込み、第１の実施の形態に示した手法と同様の方法により印字ヘッドを形成する。なお、内側に電極が形成されていることから、電極全体をシリカやアルミナ等の無機絶縁膜あるいは、有機絶縁膜で覆うことにより腐食やショートを回避する構造となっている。図１２では、金型は立方体形状であるが、金型を台形状（図面上金型１３０の上面が広く底面が狭くなるような構造）とすることにより、一体成型の際、形成後の金型の引き剥がし等が容易となる。
【０１１５】
この方法により形成された印字ヘッドの一例の断面図を図１３に示す。
【０１１６】
本実施の形態においては、ＩＣからなる駆動回路１５９は、共通液室１５５の隔壁１３４の内部に固定され、この駆動回路１５９には電気配線１６０、１６１が接続されている。駆動回路１５９及び電気配線１６０，１６１は共通液室１５５の内壁に形成され、インクに接するためＩＣからなる駆動回路１５９及び電気配線１６０、１６１の表面は絶縁物により覆われている。入力信号、出力信号は、これら電気配線を介し伝達される。ＩＣからなる駆動回路１５９へは、電気信号が電気配線１６０を介し入力され、ＩＣからなる駆動回路１５９から出力された電気信号は、電気配線１６１、貫通電極１６２を介し、個別電極１５７に伝達される。
【０１１７】
圧力室ユニットは、インク１７０を吐出するノズル１５１と圧力室１５２によって形成され、供給口１５３を介してインク１７０を供給する共通液室１５５と連通している。圧力室１５２の一面（図では天面）は振動板１５６により構成されており、その上部には、振動板１５６に圧力を付与して振動板１５６を変形させる圧電素子１５８が接合されている。圧電素子１５８の上面には個別電極１５７が形成される。また、振動板１５６は共通電極を兼ねている。
【０１１８】
圧電素子１５８は、共通電極（振動板１５６）と個別電極１５７によって挟まれており、これら２つの電極１５６、１５７に駆動電圧を印加することによって変形する。圧電素子１５８の変形によって振動板１５６が押され、圧力室１５２の容積が縮小されてノズル１５１からインク１７０が吐出されるようになっている。２つの電極１５６、１５７間への電圧印加が解除されると圧電素子１５８がもとに戻り、圧力室１５２の容積が元の大きさに回復し、共通液室１５５から供給口１５３を通って新しいインク１７０が圧力室１５２に供給されるようになっている。
【０１１９】
また、図１４に印字ヘッドの別の一例の断面図を示す。
【０１２０】
この場合では、隔壁１３４の内壁に固定されたまたＩＣからなる駆動回路２５９をインク２７０から隔離するため隔離壁２６３が設けられ、ＩＣからなる駆動回路２５９にインク２７０が悪影響を及ぼすのを防ぐとともに、内壁に配線を設けているため電気配線２６０，２６１の表面は絶縁物により覆われている。
【０１２１】
この駆動回路２５９には電気配線２６０、２６１が接続されており、入力信号、出力信号は、これら電気配線を介し伝達される。ＩＣからなる駆動回路２５９へは、電気信号が電気配線２６０を介し入力され、ＩＣからなる駆動回路２５９から出力された電気信号は、電気配線２６１、貫通電極２６２を介し、個別電極２５７に伝達される。
【０１２２】
圧力室ユニットは、インク２７０を吐出するノズル２５１と圧力室２５２によって形成され、供給口２５３を介してインク２７０を供給する共通液室２５５と連通している。圧力室２５２の一面（図では天面）は振動板２５６により構成されており、その上部には、振動板２５６に圧力を付与して振動板２５６を変形させる圧電素子２５８が接合されている。圧電素子２５８の上面には個別電極２５７が形成される。また、振動板２５６は共通電極を兼ねている。
【０１２３】
圧電素子２５８は、共通電極（振動板２５６）と個別電極２５７によって挟まれており、これら２つの電極２５６、２５７に駆動電圧を印加することによって変形する。圧電素子２５８の変形によって振動板２５６が押され、圧力室２５２の容積が縮小されてノズル２５１からインク２７０が吐出されるようになっている。２つの電極２５６、２５７間への電圧印加が解除されると圧電素子２５８がもとに戻り、圧力室２５２の容積が元の大きさに回復し、共通液室２５５から供給口２５３を通って新しいインク２７０が圧力室２５２に供給されるようになっている。
【０１２４】
また、図１５に印字ヘッドの別の一例の断面図を示す。
【０１２５】
この場合では、隔壁１３４の内部に固定されたＩＣからなる駆動回路３５９をインク３７０と隔離するため駆動回路３５９はインク３７０の液面よりも上部に配置されるとともに、インク３７０液面上部には上部カバー３７１が設けられ、ＩＣからなる駆動回路３５９にインク３７０が悪影響を及ぼすのを防ぐとともに、内壁に配線を設けているため電極３６０，３６１の表面は絶縁物により覆われている。
【０１２６】
この駆動回路３５９には電気配線３６０、３６１が接続されており、入力信号、出力信号は、これら電気配線を介し伝達される。ＩＣからなる駆動回路３５９へは、電気信号が電気配線３６０を介し入力され、ＩＣからなる駆動回路３５９から出力された電気信号は、電気配線３６１、貫通電極３６２を介し、個別電極３５７に伝達される。ＩＣからなる駆動回路３５９及び電気配線３６０、３６１の表面は絶縁物により覆われている。
【０１２７】
圧力室ユニットは、インク３７０を吐出するノズル３５１と圧力室３５２によって形成され、供給口３５３を介してインク３７０を供給する共通液室３５５と連通している。圧力室３５２の一面（図では天面）は振動板３５６により構成されており、その上部には、振動板３５６に圧力を付与して振動板３５６を変形させる圧電素子３５８が接合されている。圧電素子３５８の上面には個別電極３５７が形成される。また、振動板３５６は共通電極を兼ねている。
【０１２８】
圧電素子３５８は、共通電極（振動板３５６）と個別電極３５７によって挟まれており、これら２つの電極３５６、３５７に駆動電圧を印加することによって変形する。圧電素子３５８の変形によって振動板３５６が押され、圧力室３５２の容積が縮小されてノズル３５１からインク３７０が吐出されるようになっている。２つの電極３５６、３５７間への電圧印加が解除されると圧電素子３５８がもとに戻り、圧力室３５２の容積が元の大きさに回復し、共通液室３５５から供給口３５３を通って新しいインク３７０が圧力室３５２に供給されるようになっている。
【０１２９】
第３の実施の形態は、本発明に係る液体吐出ヘッドの別の製造方法である。この製造方法について、図１７に基づき説明する。
【０１３０】
図１７（ａ）に示すように、図４に示す圧力室ユニット５４を構成する振動板５６上に圧電素子を形成する。前記振動板５６はインク供給口５３の一部を形成する穴の開いた共通電極を兼ねたものである。なお、図面には示していないが、圧電素子５８の形成された部分以外は、共通電極を兼ねた振動板５６の表面は薄い絶縁膜で覆われている。この次に、図１７（ｂ）に示すように、圧電素子５８の上部に個別電極５７を形成する。
【０１３１】
この後、図１７（ｃ）に示すように上部に感光性樹脂膜１２０ａをスピンコート等により塗布する。その後、更に、図１７（ｄ）に示すように露光装置による露光、現像を行い感光性樹脂の一部を除去することにより、圧電素子の振動を確保するための空間１０７ｃ、電気接続穴１０７ｂ及びインク供給用の穴５３ｂを形成し、圧電素子５８の圧電素子カバー１２０ｂが形成される。この際用いられる感光性樹脂としては、化薬マイクロケム社のＳＵ−８を用いているが、この材料に限定されない。
【０１３２】
このように形成されたものと前記記載の工程で作製した電気配線１０５が配された共通液室５５の隔壁１１０とを図１７（ｅ）に示すように接合する。この際、インクがインク供給口５３と通過することができるよう位置合わせを行い接合する。この後、図１７（ｆ）に示すように、電気接続穴１０７に導電性ペーストや半田ボール等からなる導電性材料を流し込み、必要に応じてリフロー等することにより貫通電極１０８を形成し、個別電極５７と電極１０５とを接続する。この際、貫通電極１０８の形成される電気接続穴の部分１０７ｂよりも、隔壁１１０に形成された電気接続穴１０７の方を小さくすることにより、個別電極５７と電極１０５との電気的な導通を確実にとることができる。この後、図１７（ｇ）に示すように貫通電極１０８の表面に絶縁膜１２９を形成することにより液体吐出ヘッドが出来上がる。
【０１３３】
第４の実施の形態は、本発明に係る液体吐出ヘッドの別の製造方法である。この製造方法について、図１８に基づき説明する。
【０１３４】
図１８（ａ）に示すように、ダミー基板６６の上においてインク供給口５３の一部を形成する穴の開いた共通電極を兼ねた振動板５６上に圧電素子５８を形成する。また、図面には示していないが、圧電素子５８の形成された部分以外は、共通電極を兼ねた振動板５６の表面は薄い絶縁膜で覆われている。この次に、図１８（ｂ）に示すように、圧電素子５８の上部に個別電極５７を形成する。
【０１３５】
この後、図１８（ｃ）に示すように上部に感光性樹脂膜１２０ａをスピンコート等により塗布する。その後、更に、図１８（ｄ）に示すように露光装置による露光、現像を行い感光性樹脂の一部を除去することにより、圧電素子の振動を確保するための空間１０７ｃ、電気接続穴１０７ｂ及びインク供給用の穴５３ｂを形成し、圧電素子５８の圧電素子カバー１２０ｂが形成される。この際用いられる感光性樹脂としては、化薬マイクロケム社のＳＵ−８を用いているがこの材料に限定されない。この後、ダミー基板６６を取り外して、図４に示す圧力室ユニット５４を構成する部材を取り付けることにより図１８（ｆ）に示すものが出来上がる。
【０１３６】
このように形成されたものと前記記載の工程で作製した電気配線１０５が配された共通液室５５の隔壁１１０とを図１８（ｅ）に示すように接合する。この際、インクがインク供給口５３と通過することができるよう位置合わせを行い接合する。この後、図１８（ｆ）に示すように、電気接続穴１０７に導電性ペーストや半田ボール等からなる導電性材料を流し込み、必要に応じてリフロー等することにより貫通電極１０８を形成し、個別電極５７と電極１０５とを接続する。この際、貫通電極１０８の形成される電気接続穴の部分１０７ｂよりも、隔壁１１０に形成された電気接続穴１０７の方を小さくすることにより、個別電極５７と電極１０５との電気的な導通を確実にとることができる。この後、図１８（ｇ）に示すように貫通電極１０８の表面に絶縁膜１２９を形成することにより液体吐出ヘッドが出来上がる。
【０１３７】
以上、本発明に係る液体吐出ヘッド、前記液体吐出ヘッドの製造方法及び前記液体吐出ヘッドを有する画像形成装置について詳細に説明したが、本発明は、以上の例には限定されず、本発明の要旨を逸脱しない範囲において、各種の改良や変形を行ってもよいのはもちろんである。
【図面の簡単な説明】
【０１３８】
【図１】本発明に係る液体吐出ヘッド（インクジェットヘッド）を備えた画像形成装置としてのインクジェット記録装置の概略を示す全体構成図である。
【図２】本発明に係る液体吐出ヘッド（インクジェットヘッド）を備えた画像形成装置としてのインクジェット記録装置の印字部周辺を示す要部平面図である。
【図３】本発明の第１の実施の形態に係る液体吐出ヘッドの概観の全体図である。
【図４】本発明の第１の実施の形態に係る液体吐出ヘッドの各印字ヘッドの断面図である。
【図５】本発明に係る液体吐出ヘッド（インクジェットヘッド）を備えた画像形成装置としてのインクジェット記録装置のインク供給系の概略を示す構成図である。
【図６】本発明に係る液体吐出ヘッド（インクジェットヘッド）を備えた画像形成装置としてのインクジェット記録装置のシステム構成を示すブロック図である。
【図７】（ａ）〜（ｃ）本発明の第１の実施の形態に係る液体吐出ヘッドの製造方法における壁面を形成の工程を示す図である。
【図８】（ａ）〜（ｃ）本発明の第１の実施の形態に係る液体吐出ヘッドの製造方法における電極を形成の工程を示す図である。
【図９】（ａ）〜（ｇ）本発明の第１の実施の形態に係る液体吐出ヘッドの製造方法における印字ヘッドの作製の工程を示す図である。
【図１０】本発明の第１の実施形態の液体吐出ヘッドの他の一例の構成を示す断面図である。
【図１１】（ａ）〜（ｄ）本発明の第１の実施形態における電極形成の各例を示した構造図である。
【図１２】本発明の第２の実施形態に係る液体吐出ヘッドの壁面の製造方法を示した図である。
【図１３】本発明の第２の実施形態に係る液体吐出ヘッドの一例の構成を示す断面図である。
【図１４】本発明の第２の実施形態に係る液体吐出ヘッドの他の一例の構成を示す断面図である。
【図１５】本発明の第２の実施形態に係る液体吐出ヘッドの他の一例の構成を示す断面図である。
【図１６】印字ヘッドの概略を示す平面透視図である。
【図１７】（ａ）〜（ｇ）本発明の第３の実施の形態に係る液体吐出ヘッドの製造方法における印字ヘッドの作製の工程を示す図である。
【図１８】（ａ）〜（ｇ）本発明の第４の実施の形態に係る液体吐出ヘッドの製造方法における印字ヘッドの作製の工程を示す図である。
【符号の説明】
【０１３９】
１０…インクジェット記録装置、１２…印字部、１４…インク貯蔵／装填部、１６…記録紙、１８…給紙部、２０…デカール処理部、２２…吸着ベルト搬送部、２４…印字検出部、２６…排紙部、２８…カッター、３０…加熱ドラム、３１、３２…ローラー、３３…ベルト、３４…吸着チャンバー、３５…ファン、３６…ベルト清掃部、４０…加熱ファン、４２…後乾燥部、４４…加熱・加圧部、４５…加圧ローラー、４８…カッター、５０…印字ヘッド、５０Ａ…ノズル面、５１…ノズル、５１ａ…ノズル流路、５２…圧力室、５３…インク供給口、５４…圧力室ユニット、５５…共通液室、５６…振動板（共通電極）、５７…個別電極、５８…圧電素子、５９…駆動回路、６０…電気配線、６１…電気配線、６２…貫通電極、７０…通信インターフェース、７２…システムコントローラ、７４…画像メモリ、７６…モータドライバ、７８…ヒータドライバ、８０…プリント制御部、８２…画像バッファメモリ、８４…ヘッドドライバ、８６…ホストコンピュータ、８８…モータ、８９…ヒータ、９０…インクタンク、９２…フィルタ、９４…キャップ、９６…ブレード、９７…吸引ポンプ、９８…回収タンク、１０１ａ、１０１ｂ、１０１ｃ、１０１ｄ、１０１ｅ、１０１ｆ…金型、１０３…溝形成のための凸部分、１０４…電極のための溝、１０５…電極、１０７…電気接続穴、１０９…インク供給用の穴、１１０…液体吐出ヘッドの壁面
【図１】
0004822840.tif 000002
【図２】
0004822840.tif 000003
【図３】
0004822840.tif 000004
【図４】
0004822840.tif 000005
【図５】
0004822840.tif 000006
【図６】
0004822840.tif 000007
【図７】
0004822840.tif 000008
【図８】
0004822840.tif 000009
【図９】
0004822840.tif 000010
【図１０】
0004822840.tif 000011
【図１１】
0004822840.tif 000012
【図１２】
0004822840.tif 000013
【図１３】
0004822840.tif 000014
【図１４】
0004822840.tif 000015
【図１５】
0004822840.tif 000016
【図１６】
0004822840.tif 000017
【図１７】
0004822840.tif 000018
【図１８】
0004822840.tif 000019